(57)【要約】【課題】連動した画像を表示した表示部が有するバックライトの輝度を制御する。【解決手段】輝度の制御が可能なバックライト３０７を有する表示／光センサ部３００を複数備え、少なくとも２つの異なる表示／光センサ部３００に、相互に連動した画像を表示させるデータ表示制御部１１と、表示／光センサ部３００に上記連動した画像を表示させたとき、上記連動した画像を表示した表示／光センサ部３００が有するバックライト３０７の輝度を制御する省電力制御指示部１３とを備える。【選択図】図１
2010092339.tif 000002
【特許請求の範囲】
【請求項１】
輝度の制御が可能なバックライトを有する表示部を複数備える表示装置であって、
少なくとも２つの異なる上記表示部に、相互に連動した画像を表示させる画像表示制御手段と、
上記表示部に上記連動した画像を表示させたとき、上記連動した画像を表示した表示部が有する上記バックライトの輝度を制御するバックライト輝度制御手段とを備えることを特徴とする表示装置。
【請求項２】
自装置に電力を供給するバッテリーと、上記バッテリーの残量を検出するバッテリー検出手段とをさらに備え、
上記バッテリー検出手段によって検出されたバッテリーの残量が所定閾値を下回る場合、上記バックライト輝度制御手段は、上記バックライトの輝度を制御することを特徴とする請求項１に記載の表示装置。
【請求項３】
上記バックライト輝度制御手段は、連動元の画像を表示している上記表示部が有する上記バックライトの輝度を下げるように制御することを特徴とする請求項１または２に記載の表示装置。
【請求項４】
上記表示部は、さらに、ユーザ操作を受け付け可能であって、
上記画像表示制御手段は、連動元の画像を表示している上記表示部がユーザ操作を受け付けたとき、他の上記表示部に連動先の画像を表示させることを特徴とする請求項３に記載の表示装置。
【請求項５】
上記連動元の画像は、ハイパーリンクを含む画像であって、
上記画像表示制御手段は、上記ハイパーリンクを含む画像を表示している上記表示部が、上記ハイパーリンクに対するユーザ操作を受け付けたとき、他の上記表示部に、上記ハイパーリンクにて指し示される画像を、連動先の画像として表示させることを特徴とする請求項４に記載の表示装置。
【請求項６】
輝度の制御が可能なバックライトを有する表示部を複数備える表示装置の制御方法であって、
少なくとも２つの異なる上記表示部に、相互に連動した画像を表示させる画像表示制御ステップと、
上記表示部に上記連動した画像を表示させたとき、上記連動した画像を表示した表示部が有する上記バックライトの輝度を制御するバックライト輝度制御ステップとを含むことを特徴とする表示装置の制御方法。
【請求項７】
請求項１から５のいずれか１項に記載の表示装置としてコンピュータを機能させるための制御プログラムであって、コンピュータを上記の各手段として機能させるための制御プログラム。
【請求項８】
請求項７に記載の制御プログラムを記録したコンピュータ読み取り可能な記録媒体。
【発明の詳細な説明】
【技術分野】
【０００１】
本発明は、画像を表示する表示部を複数備える表示装置、制御方法、制御プログラム、および該制御プログラムを記録したコンピュータ読み取り可能な記録媒体に関するものである。
【背景技術】
【０００２】
近年、ＰＤＡ（Personal Digital Assistant）、ノート型ＰＣ（Personal Computer）、電子手帳等の電子機器は、小型化が進み、携帯型のものが多く登場している。このような携帯型の電子機器には、ＡＣ（Alternating Current）電源が確保できない場所であっても動作可能とするために、バッテリーが搭載されていることが多い。そして、このようなバッテリーによって動作可能な電子機器には、バッテリーでの駆動時間をできるだけ延ばすことを目的として、電力消費を低減するための省電力機構が設けられているのが一般的である。
【０００３】
特に、従来から、バックライトを備えた表示部を有する電子機器において、バックライトの輝度を調整する等によって、バッテリーの電力消費を低減し、省電力化を図る技術がある（特許文献１〜５参照）。
【０００４】
特許文献１では、バッテリー駆動している状態において、ローバッテリー（Low Battery）であることが検出された場合、表示装置のバックライトへの電力供給は行なわずに、システムの状態を２次記憶装置に記憶してシステムへの電力供給を中止する情報処理装置が開示されている。
【０００５】
特許文献２では、バッテリー駆動が可能な電子機器において、バッテリーの残量の変化に伴って、ディスプレイの自動停止時間を変化させる機能や、ディスプレイの輝度を変化させる機能を備えることによって、バッテリーの寿命を延ばす制御方法が開示されている。
【０００６】
特許文献３では、アプリケーションの実行中に入力操作が不要な処理待ち状態となったとき、バックライトへの電力供給を制限して、バッテリーによる駆動時間を延ばす制御方法が開示されている。
【０００７】
特許文献４では、表示装置の省電力レベルが高くなって表示装置の輝度が低減されるにしたがってコントラストを上昇させたり、または、表示解像度が低下するにしたがって画面に表示される文字やアイコンの大きさを大きくすることで、表示装置の輝度低下による画面表示情報の視認性低下の影響を低減する表示装置の省電力制御システムが開示されている。
【０００８】
特許文献５では、バックライトを備えた表示装置を有する電子機器において、起動状態、待機状態、ポーズ状態、データ転送状態等、ユーザに支障のない動作中に、バックライトの輝度を制御する技術が開示されている。
【特許文献１】特開平８−３３９２４４号公報（公開日：平成８年１２月２４日）
【特許文献２】特開平９−２３７１３６号公報（公開日：平成９年９月９日）
【特許文献３】特開平１１−１２６１１８号公報（公開日：平成１１年５月１１日）
【特許文献４】特開２０００−７５９６３号公報（公開日：平成１２年３月１４日）
【特許文献５】特開２００７−１６４０８０号公報（公開日：平成１９年６月２８日）
【発明の開示】
【発明が解決しようとする課題】
【０００９】
ところで近年では、バックライトを備えた表示部を複数有する表示装置が登場している。その代表例としては、表示部の画面が互いに向き合うようにヒンジ部で折り畳むことができる、いわゆるクラムシェル型の筐体を有した表示装置などが挙げられる。２つの表示部を有する表示装置は、表示部を１つ有する表示装置と比較すると、バックライトへの電力供給が多いため、バッテリーの消耗が早く、その結果、バッテリーによる駆動時間が短くなる場合が多い。
【００１０】
このような、２つの表示部を有する表示装置は、ローバッテリーの状態になると、一般的には、各表示部に配設されたバックライトを等価的に制御し、輝度を段階的に下げることによって、バッテリーの消耗を抑制する。そして、バッテリーが完全に消耗する所定時間前に警告メッセージを表示し、バッテリーが完全に消耗すると電源をオフにする。
【００１１】
ここで、図１８から図２０を参照しながら、２つの表示部を有する従来の表示装置において、各表示部に配設されたバックライトを等価的に制御する様子を説明する。図１８〜２０は、２つの表示部を有する表示装置において、各表示部に配設されたバックライトを等価的に制御する様子を示した模式図である。
【００１２】
まず、図１８は、従来の表示装置において、ローバッテリーではないときの様子（バッテリーの残量が十分ある状態）を示した模式図である。図示のとおり、表示部Ｄ１およびＤ２には、それぞれ、Ｗｅｂブラウザにて異なるＷｅｂページを表示している。この場合、ローバッテリーの状態ではないので、まだバックライトの輝度を下げておらず、表示部Ｄ１およびＤ２は暗くなっていない。
【００１３】
次に、図１９は、従来の表示装置において、ローバッテリー時の様子を示した模式図である。ローバッテリーの状態であるので、図示のとおり、表示部Ｄ１およびＤ２のぞれぞれのバックライトの輝度を下げる制御を行なっており、表示部Ｄ１およびＤ２はやや暗くなっている。さらに、バッテリーが完全に消耗する所定時間前には、一般的には、警告メッセージＭなどを表示して、ユーザに注意を促す。
【００１４】
次に、図２０は、従来の表示装置において、バッテリーが完全に消耗したときの様子を示した模式図である。バッテリーが完全に消耗した状態であるので、図示のとおり、電源をオフにしており、表示部Ｄ１およびＤ２のバックライトへの電力供給は行なっていないため、表示部Ｄ１およびＤ２には何も表示されていない。
【００１５】
このように、２つの表示部を有する表示装置は、ローバッテリーの状態になると、一般的には、２つのバックライトを等価的に制御するが、ユーザは、必ずしも２つの表示部を同時に使用しているわけではなく、いずれか片方の表示部のみを使用している場合もある。そこで、例えば、ローバッテリーの状態では、ユーザが使用していない側の表示部のバックライトの輝度のみを段階的に下げるように制御することによって、バッテリーの消耗を抑制することが考えられる。このような、表示部を複数有する装置において、いくつかのバックライトの輝度のみを段階的に制御する技術は、上述した特許文献１〜５には開示されていない。
【００１６】
本発明は、上記の問題点に鑑みてなされたものであり、その目的は、少なくとも２つの異なる表示部が有するバックライトの輝度を制御する表示装置、制御方法、制御プログラム、および該制御プログラムを記録したコンピュータ読み取り可能な記録媒体を提供することにある。
【課題を解決するための手段】
【００１７】
上記課題を解決するために、本発明に係る表示装置は、輝度の制御が可能なバックライトを有する表示部を複数備える表示装置であって、少なくとも２つの異なる上記表示部に、相互に連動した画像を表示させる画像表示制御手段と、上記表示部に上記連動した画像を表示させたとき、上記連動した画像を表示した表示部が有する上記バックライトの輝度を制御するバックライト輝度制御手段とを備えることを特徴としている。
【００１８】
また、本発明に係る表示装置の制御方法は、輝度の制御が可能なバックライトを有する表示部を複数備える表示装置の制御方法であって、少なくとも２つの異なる上記表示部に、相互に連動した画像を表示させる画像表示制御ステップと、上記表示部に上記連動した画像を表示させたとき、上記連動した画像を表示した表示部が有する上記バックライトの輝度を制御するバックライト輝度制御ステップとを含むことを特徴としている。
【００１９】
上記の構成によれば、少なくとも２つの異なる上記表示部に、相互に連動した画像を表示させることができる。また、上記表示部に上記連動した画像を表示させたとき、上記連動した画像を表示した表示部が有する上記バックライトの輝度を制御することができる。
【００２０】
よって、相互に連動した画像が表示された場合、バックライトの輝度を制御することができる。特に、バックライトの輝度を下げることにより、バックライトの電力消費を低減させることができる。
【００２１】
したがって、相互に連動した画像が表示された場合、自装置の電力消費を低減させることができ、省電力化を図ることができるという効果を奏する。
【００２２】
ここで、連動元の画像と連動先の画像とがある場合、ユーザは新たに表示された連動先の画像をより注視している可能性が高い。そのため、相互に連動した画像のうち、例えば、ユーザが注視していないと想定される、連動元となる画像を表示している表示部のバックライトのみの輝度を下げることも可能である。なお、どの表示部のバックライトの輝度を制御するかは、予め所定ルールを定めておけばよく、例えば、連動元となる画像を表示している表示部のバックライトのみの輝度を下げることにしておけばよい。
【００２３】
さらに、本発明に係る表示装置は、上記の構成において、自装置に電力を供給するバッテリーと、上記バッテリーの残量を検出するバッテリー検出手段とをさらに備え、上記バッテリー検出手段によって検出されたバッテリーの残量が所定閾値を下回る場合、上記バックライト輝度制御手段は、上記バックライトの輝度を制御する構成としてもよい。
【００２４】
上記の構成によれば、さらに、バッテリーの残量を検出することができ、該検出されたバッテリーの残量が所定閾値を下回る場合、バックライトの輝度を制御することができる。
【００２５】
よって、ローバッテリー状態になった場合、バックライトの輝度を制御することができる。特に、バックライトの輝度を下げることにより、バックライトの電力消費を低減させることができる。
【００２６】
したがって、相互に連動した画像が表示されている場合であって、かつ、ローバッテリー状態になった場合、自装置の電力消費を低減させることができ、省電力化を図ることができるという効果を奏する。
【００２７】
さらに、本発明に係る表示装置は、上記の構成において、上記バックライト輝度制御手段は、連動元の画像を表示している上記表示部が有する上記バックライトの輝度を下げるように制御する構成としてもよい。
【００２８】
上記の構成によれば、さらに、連動元の画像を表示している表示部が有するバックライトの輝度を下げるように制御することができる。
【００２９】
よって、連動元の画像を表示している表示部のバックライトの輝度を下げることにより、バックライトの電力消費を低減させることができる。
【００３０】
上述したように、連動元の画像と連動先の画像とがある場合、ユーザは新たに表示された連動先の画像をより注視している可能性が高い。そのため、連動元の画像を表示している表示部のバックライトの輝度を下げても、ユーザの利便性を大きく損なわないと考えることができる。
【００３１】
したがって、連動元の画像を表示している表示部のバックライトの輝度を下げることにより、ユーザの利便性を損なわすに、自装置の省電力化を図ることができるという効果を奏する。
【００３２】
さらに、本発明に係る表示装置は、上記の構成において、上記表示部は、さらに、ユーザ操作を受け付け可能であって、上記画像表示制御手段は、連動元の画像を表示している上記表示部がユーザ操作を受け付けたとき、他の上記表示部に連動先の画像を表示させる構成としてもよい。
【００３３】
上記の構成によれば、さらに、表示部はユーザ操作を受け付け可能である。そして、連動元の画像を表示している表示部がユーザ操作を受け付けたとき、他の表示部に連動先の画像を表示させることができる。
【００３４】
よって、ユーザ操作によって、他の表示部に連動先の画像を表示させた場合、ユーザ操作を受け付けた、連動元の画像を表示している表示部のバックライトの輝度を制御する（具体的には、バックライトの輝度を下げる）ことができる。
【００３５】
上記連動先の画像は、ユーザ操作によって表示させたものであるから、ユーザは連動先の画像を注視している可能性がいっそう高い。したがって、連動元の画像を表示している表示部のバックライトの輝度を下げた場合であっても、ユーザの利便性を損なうことがないと考えることができる。
【００３６】
したがって、ユーザ操作を受け付けた、連動元の画像を表示している表示部のバックライトの輝度を下げることにより、ユーザの利便性を損なわすに、自装置の省電力化を図ることができるという効果を奏する。
【００３７】
さらに、本発明に係る表示装置は、上記の構成において、上記連動元の画像は、ハイパーリンクを含む画像であって、上記画像表示制御手段は、上記ハイパーリンクを含む画像を表示している上記表示部が、上記ハイパーリンクに対するユーザ操作を受け付けたとき、他の上記表示部に、上記ハイパーリンクにて指し示される画像を、連動先の画像として表示させる構成としてもよい。
【００３８】
上記の構成によれば、さらに、連動元の画像は、ハイパーリンクを含む画像である。そして、上記ハイパーリンクに対するユーザ操作を受け付けたとき、上記ハイパーリンクにて指し示される画像を、連動先の画像として表示させることができる。
【００３９】
よって、表示部に表示された、ハイパーリンクを含む画像をユーザがクリック等し、当該ハイパーリンクで指し示される画像を他の表示部に表示させた場合、ハイパーリンクを含む画像を表示している表示部のバックライトの輝度を制御する（具体的には、バックライトの輝度を下げる）ことができる。
【００４０】
ここで、ユーザは、ハイパーリンクで指し示される画像を注視している可能性が高い。したがって、ハイパーリンクを含む画像を表示している表示部のバックライトの輝度を下げても、ユーザの利便性を損なわないと考えることができる。
【００４１】
したがって、ハイパーリンクを含む画像を表示している表示部のバックライトの輝度を下げることにより、ユーザの利便性を損なわすに、自装置の省電力化を図ることができるという効果を奏する。
【００４２】
なお、上記表示装置は、コンピュータによって実現してもよく、この場合には、コンピュータを上記各手段として動作させることにより上記表示装置をコンピュータにて実現させる上記表示装置の制御プログラム、およびそれを記録したコンピュータ読み取り可能な記録媒体も、本発明の範疇に入る。
【発明の効果】
【００４３】
以上のように、本発明に係る表示装置は、少なくとも２つの異なる上記表示部に、相互に連動した画像を表示させる画像表示制御手段と、上記表示部に上記連動した画像を表示させたとき、上記連動した画像を表示した表示部が有する上記バックライトの輝度を制御するバックライト輝度制御手段とを備えている。
【００４４】
また、本発明に係る表示装置の制御方法は、少なくとも２つの異なる上記表示部に、相互に連動した画像を表示させる画像表示制御ステップと、上記表示部に上記連動した画像を表示させたとき、上記連動した画像を表示した表示部が有する上記バックライトの輝度を制御するバックライト輝度制御ステップとを含んでいる。
【００４５】
よって、相互に連動した画像が表示された場合、バックライトの輝度を制御することができる。特に、特に、バックライトの輝度を下げることにより、バックライトの電力消費を低減させることができる。
【００４６】
したがって、相互に連動した画像が表示された場合、自装置の電力消費を低減させることができ、省電力化を図ることができるという効果を奏する。
【発明を実施するための最良の形態】
【００４７】
本発明の一実施形態について図１から図１７に基づいて説明すると以下の通りである。
【００４８】
なお、本実施形態に係るデータ表示／センサ装置（表示装置）１００は、画像を表示するとともに、近傍の像を検知することができる画面としてのセンサ内蔵液晶パネル３０１と、センサ内蔵液晶パネル３０１の背面に配設された、輝度の制御が可能なバックライト３０７とを含む、表示／光センサ部（表示部）３００を２つ備えているものとして説明する。
【００４９】
ただし、データ表示／センサ装置１００は、必ずしも表示／光センサ部３００を備えることに限定されるものではなく、少なくとも画像の表示が可能であって、バックライトにより光が照射される表示画面を備えるものであればよい。
【００５０】
また、本実施形態では、データ表示／センサ装置１００は、表示／光センサ部３００を２つ備えるものとして説明するが、３つ以上の表示／光センサ部３００を備える構成であっても本発明を適用可能である。
【００５１】
なお、本明細書において、「表示／光センサ部３００に（画像等を）表示する」と表記する場合は、「表示／光センサ部３００の備えるセンサ内蔵液晶パネル３０１に（画像等を）表示する」ことを意味するものとする。
【００５２】
（発明の要点）
本実施形態に係るデータ表示／センサ装置１００は、２つの異なる表示／光センサ部３００に、相互に連動した画像を表示させることができるとともに、表示／光センサ部３００に上記連動した画像を表示させたとき、省電力制御を行なう装置である。ここで、省電力制御とは、特に、上記連動した画像を表示した表示／光センサ部３００が有するバックライト３０７の輝度を制御することである。なお、データ表示／センサ装置１００の電源制御を省電力制御に含めてもよい。
【００５３】
上記「画像」とは、特に、各種アプリケーション（例えば、Ｗｅｂブラウザ、メーラー、エディタ、ソフトキーボードなど）や、当該アプリケーションにより表示される各種データ（例えば、アイコン、ウィンドウ、テキストなど）を想定している。以下では、上記各種アプリケーションおよび上記各種データを、「アプリケーション等」と略記する。
【００５４】
また、上記「相互に連動して表示」とは、連動元のアプリケーション等を基にして、連動先のアプリケーション等を表示することを指すものとする。ここで、連動元とは、連動表示のトリガとなる側であり、連動先とは、連動して後から表示される側を意味するものとする。
【００５５】
連動元および連動先の具体例としては、それぞれ、リンク元およびリンク先、呼び出し元および呼び出し先などが挙げられる。つまり、例えばリンク元のＷｅｂページや、呼び出し元のアプリケーションは連動元であり、リンク先のＷｅｂページや、呼び出し先のアプリケーションは連動先である。
【００５６】
また、画面遷移が階層構造を有するアプリケーションにおいて、上位階層に相当する画面および下位階層に相当する画面は、それぞれ連動元および連動先とみなすことができる。
【００５７】
なお、連動元と連動先とは、１対１である必要はなく、１対多であってもよい。
【００５８】
そして、ユーザは、一般的に、新たに表示された連動先のアプリケーション等をより注視しているものと考えられるため、注視していない側である連動元のアプリケーション等を表示している表示／光センサ部３００のバックライト３０７の輝度レベルを下げても、ユーザの利便性を大きく損なうことがない場合が多いと考えることができる。したがって、データ表示／センサ装置１００は、連動元のアプリケーション等を表示している表示／光センサ部３００のバックライト３０７の輝度レベルを下げる制御を行なうことにより、省電力制御を行なう。
【００５９】
なお、連動先のアプリケーション等を連動して表示するトリガとしては、（１）連動元のアプリケーション等に対するユーザ操作（クリック操作やタッチ操作など）であってもよいし、（２）連動元のアプリケーション等を表示した後、所定のタイミングで自動的に連動先のアプリケーション等を表示してもよい。また、連動先のアプリケーション等を連動して表示するタイミングは、即時であってもよいし、所定の遅延があってもよい。
【００６０】
また、バックライト３０７の輝度レベルを制御するタイミングは、アプリケーション等が連動して表示された直後であってもよいし、アプリケーション等が連動して表示されてから所定の遅延時間後であってもよい。
【００６１】
以下で、まず、データ表示／センサ装置１００が備えるセンサ内蔵液晶パネル３０１の概要、および、データ表示／センサ装置１００の要部構成について説明する。
【００６２】
（センサ内蔵液晶パネルの概要）
上記データ表示／センサ装置１００が備えるセンサ内蔵液晶パネル３０１は、データの表示に加え、対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００６３】
図２を参照しながら、センサ内蔵液晶パネル３０１の構造について説明する。図２は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００６４】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００６５】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００６６】
次に、図３（ａ）および図３（ｂ）を参照しながら、ユーザが、指やペンで、センサ内蔵液晶パネル３０１上をタッチした位置を検出する２種類の方法について説明する。
【００６７】
図３（ａ）は、反射像を検知することにより、ユーザがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【００６８】
また、図３（ｂ）は、影像を検知することにより、ユーザがタッチした位置を検出する様子を示す模式図である。図３（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００６９】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【００７０】
（データ表示／センサ装置の要部構成）
次に、図４を参照しながら、上記データ表示／センサ装置１００の要部構成について説明する。図４は、データ表示／センサ装置１００の要部構成を示すブロック図である。図示のように、データ表示／センサ装置１００は、１または複数の表示／光センサ部３００、回路制御部６００、データ処理部７００、主制御部８００、記憶部９０１、一次記憶部９０２、操作部９０３、外部通信部９０７、音声出力部９０８、音声入力部９０９、およびバッテリー９１０を備えている。ここでは、データ表示／センサ装置１００は、表示／光センサ部３００を２つ（第１表示／光センサ部３００Ａおよび第２表示／光センサ部３００Ｂ）備えているものとして説明する。なお、第１表示／光センサ部３００Ａおよび第２表示／光センサ部３００Ｂを区別しないときは、表示／光センサ部３００と表記する。
【００７１】
表示／光センサ部３００は、いわゆる光センサ内蔵液晶表示装置である。表示／光センサ部３００は、センサ内蔵液晶パネル３０１、バックライト３０７、それらを駆動するための周辺回路３０９を含んで構成される。
【００７２】
センサ内蔵液晶パネル３０１は、マトリクス状に配置された複数の画素回路３１および光センサ回路３２を含んで構成される。センサ内蔵液晶パネル３０１の詳細な構成については後述する。
【００７３】
周辺回路３０９は、液晶パネル駆動回路３０４、光センサ駆動回路３０５、信号変換回路３０６、バックライト駆動回路３０８を含む。
【００７４】
液晶パネル駆動回路３０４は、回路制御部６００の表示制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【００７５】
光センサ駆動回路３０５は、回路制御部６００のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【００７６】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【００７７】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００７８】
なお、バックライト３０７が照射する光の輝度レベルは、バックライト駆動回路３０８から印加される電圧の大きさに応じて調節することができる。
【００７９】
バックライト駆動回路３０８は、回路制御部６００のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【００８０】
また、バックライト駆動回路３０８は、バックライト３０７が照射する光の輝度レベルを調節するために、バックライト制御部６０３から送信される制御信号の値に応じて予め定められた大きさの電圧を、バックライト３０７に印加する。
【００８１】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、および表示データ記憶部６０４を備えている。
【００８２】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号（ＴＣ１）およびデータ信号（Ｄ）を送信し、上記受信した表示データをセンサ内蔵液晶パネル３０１に表示させる。
【００８３】
なお、表示制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【００８４】
センサ制御部６０２は、データ処理部７００のセンサデータ処理部７０３からの指示に従って、表示／光センサ部３００の光センサ駆動回路３０５に、タイミング制御信号（ＴＣ２）を送信し、センサ内蔵液晶パネル３０１にてスキャンを実行させる。
【００８５】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【００８６】
バックライト制御部６０３は、表示データ処理部７０１およびセンサデータ処理部７０３からの指示に従って、表示／光センサ部３００のバックライト駆動回路３０８に制御信号（ＢＫ）を送信し、バックライト３０７を駆動させる。
【００８７】
また、バックライト制御部６０３は、データ処理部７００から送信される、バックライト３０７が照射する光の輝度レベルを調節する指示に応じて、バックライト駆動回路３０８に制御信号を送信する。
【００８８】
なお、データ表示／センサ装置１００が、複数の表示／光センサ部３００を備える場合、表示制御部６０１は、データ処理部７００から、どの表示／光センサ部３００にて表示データを表示するかの指示を受けたとき、当該指示に応じた表示／光センサ部３００の液晶パネル駆動回路３０４を制御する。また、センサ制御部６０２は、データ処理部７００から、どの表示／光センサ部３００にて対象物のスキャンを行なうかの指示を受けたとき、当該指示に応じた表示／光センサ部３００の光センサ駆動回路３０５を制御するとともに、当該指示に応じた表示／光センサ部３００の信号変換回路３０６からデジタル信号（ＤＳ）を受信する。
【００８９】
次に、データ処理部７００について説明する。データ処理部７００は、主制御部８００から受信する「コマンド」に基づいて、回路制御部６００に指示を与えるミドルウェアとしての機能を備えるものである。なお、コマンドの詳細については後述する。
【００９０】
データ処理部７００は、表示データ処理部７０１およびセンサデータ処理部７０３を備えている。そして、データ処理部７００が、主制御部８００からコマンドを受信すると、該受信したコマンドに含まれる各フィールド（後述する）の値に応じて、表示データ処理部７０１およびセンサデータ処理部７０３の少なくとも一方が動作する。
【００９１】
表示データ処理部７０１は、主制御部８００から表示データを受信するとともに、データ処理部７００が受信したコマンドに従って、表示制御部６０１およびバックライト制御部６０３に指示を与え、上記受信した表示データをセンサ内蔵液晶パネル３０１に表示させる。なお、コマンドに応じた、表示データ処理部７０１の動作については、後述する。
【００９２】
センサデータ処理部７０３は、データ処理部７００が受信したコマンドに従って、センサ制御部６０２およびバックライト制御部６０３に指示を与える。
【００９３】
また、センサデータ処理部７０３は、センサ制御部６０２から画像データを受信し、当該画像データをそのまま画像データバッファ７０４に格納する。そして、センサデータ処理部７０３は、データ処理部７００が受信したコマンドに従って、画像データバッファ７０４に記憶されている画像データに基づいて、「全体画像データ」、「部分画像データ（部分画像の座標データを含む）」、および「座標データ」の少なくともいずれか１つを、主制御部８００に送信する。なお、全体画像データ、部分画像データ、および座標データについては、後述する。また、コマンドに応じた、センサデータ処理部７０３の動作については、後述する。
【００９４】
次に、主制御部８００は、アプリケーションプログラムを実行するものである。主制御部８００は、記憶部９０１に格納されているプログラムを、例えばＲＡＭ（Random Access Memory）等で構成される一次記憶部９０２に読み出して実行する。
【００９５】
主制御部８００で実行されるアプリケーションプログラムは、センサ内蔵液晶パネル３０１に表示データを表示させたり、センサ内蔵液晶パネル３０１にて対象物のスキャンを行わせるために、データ処理部７００に対して、コマンドおよび表示データを送信する。また、コマンドに「データ種別」を指定した場合は、当該コマンドの応答として、全体画像データ、部分画像データ、および座標データの少なくともいずれか１つを、データ処理部７００から受信する。
【００９６】
なお、回路制御部６００、データ処理部７００、および主制御部８００は、それぞれ、ＣＰＵ（Central Processing Unit）およびメモリ等で構成することができる。また、データ処理部７００は、ＡＳＩＣ（application specific integrate circuit）などの回路で構成されていてもよい。
【００９７】
次に、記憶部９０１は、図示のように、主制御部８００が実行するプログラムおよびデータを格納するものである。なお、主制御部８００が実行するプログラムは、アプリケーション固有のプログラムと、各アプリケーションが共用可能な汎用プログラムとに分離されていてもよい。
【００９８】
次に、操作部９０３は、データ表示／センサ装置１００のユーザの入力操作を受けつけるものである。操作部９０３は、例えば、スイッチ、リモコン、マウス、キーボードなどの入力デバイスで構成される。そして、操作部９０３は、データ表示／センサ装置１００のユーザの入力操作に応じた制御信号を生成し、該生成した制御信号を主制御部８００へ送信する。
【００９９】
なお、上記スイッチの例としては、筐体のヒンジ部分に設けられ、筐体の開閉状態を検出するヒンジ部スイッチ９０４、電源のオンとオフとを切り替える電源スイッチ９０５、予め所定の機能が割り当てられているユーザスイッチ９０６などのハードウェアスイッチを想定している。
【０１００】
次に、バッテリー９１０は、データ表示／センサ装置１００の各部に電力を供給するものである。ＡＣ電源にて電力を供給することができない場合などに、バッテリー９１０が電力を供給するものとする。
【０１０１】
その他、データ表示／センサ装置１００は、無線／有線通信によって外部装置と通信を行なうための外部通信部９０７、音声を出力するためのスピーカ等の音声出力部９０８、音声信号を入力するためのマイク等の音声入力部９０９などを適宜備えていてもよい。
【０１０２】
（コマンドの詳細）
次に、図５および図６を参照しながら、主制御部８００からデータ処理部７００に送信されるコマンドの詳細について説明する。図５は、コマンドのフレーム構造の一例を模式的に示す図である。また、図６は、コマンドに含まれる各フィールドに指定可能な値の一例、および、その概要を説明する図である。
【０１０３】
図５に示すように、コマンドは、「ヘッダ」、「データ取得タイミング」、「データ種別」、「スキャン方式」、「スキャン画像階調」、「スキャン解像度」、「スキャンパネル」、「表示パネル」、「バックライト制御パネル」、「バックライト輝度レベル」、および「予備」の各フィールドを含んでいる。そして、各フィールドには、例えば、図６に示す値が指定可能である。
【０１０４】
「ヘッダ」フィールドは、フレームの開始を示すフィールドである。「ヘッダ」フィールドであることが識別可能であれば、「ヘッダ」フィールドの値は、どのような値であってもよい。
【０１０５】
次に、「データ取得タイミング」フィールドは、データを主制御部８００へ送信すべきタイミングを指定するフィールドである。「データ取得タイミング」フィールドには、例えば、“00”（センス）、“01”（イベント）、および“10”（オール）という値が指定可能である。
【０１０６】
ここで、“センス”は、最新のデータを直ちに送信することを指定するものである。よって、センサデータ処理部７０３は、「データ取得タイミング」フィールドの値が“センス”であるコマンドを受信すると、「データ種別」フィールドにて指定されている最新のデータを、直ちに、主制御部８００に送信する。
【０１０７】
また、“イベント”は、センサ制御部６０２から受信する画像データに変化が生じたタイミングで送信することを指定するものである。よって、センサデータ処理部７０３は、「データ取得タイミング」フィールドの値が“イベント”であるコマンドを受信すると、「データ種別」フィールドにて指定されているデータを、センサ制御部６０２から受信する画像データに、所定の閾値より大きい変化が生じたタイミングで、主制御部８００に送信する。
【０１０８】
また、“オール”は、所定周期でデータを送信することを指定するものである。よって、センサデータ処理部７０３は、「データ取得タイミング」フィールドの値が“オール”であるコマンドを受信すると、「データ種別」フィールドにて指定されているデータを、所定周期で、主制御部８００に送信する。なお、上記所定周期は、光センサ回路３２にてスキャンを行なう周期と一致する。
【０１０９】
次に、「データ種別」フィールドは、センサデータ処理部７０３から取得するデータの種別を指定するフィールドである。なお、「データ種別」フィールドには、例えば、“001”（座標）、“010”（部分画像）、および“100”（全体画像）という値が指定可能である。さらに、これらの値を加算することによって、“座標”と、“部分画像”／“全体画像”とを、同時に指定可能である。例えば、“座標”と“部分画像”とを同時に指定する場合、“011”と指定することができる。
【０１１０】
センサデータ処理部７０３は、「データ種別」フィールドの値が“全体画像”であるコマンドを受信すると、画像データバッファ７０４に記憶している画像データそのものを主制御部８００に送信する。画像データバッファ７０４に記憶している画像データそのものを、「全体画像データ」と称する。
【０１１１】
また、センサデータ処理部７０３は、「データ種別」フィールドの値が“部分画像”であるコマンドを受信すると、センサ制御部６０２から受信する画像データから、所定の閾値より大きい変化が生じた部分を含む領域を抽出し、該抽出した領域の画像データを主制御部８００に送信する。ここで、当該画像データを、「部分画像データ」と称する。
【０１１２】
なお、センサ制御部６０２から受信する画像データから、複数の部分画像データが抽出された場合、センサデータ処理部７０３は、該抽出された複数の部分画像データのそれぞれを主制御部８００に送信する。したがって、例えば、ユーザが、複数の指やペンなどでセンサ内蔵液晶パネル３０１上の複数箇所を同時にタッチした場合、センサデータ処理部７０３は、該タッチした領域のそれぞれを部分画像データとして抽出し、主制御部８００に送信する。
【０１１３】
さらに、センサデータ処理部７０３は、「データ種別」フィールドの値が“部分画像”であるコマンドを受信したとき、部分画像における代表点を検出し、当該代表点の部分画像における位置を示す代表座標の座標データを主制御部８００に送信する。なお、上記代表点とは、例えば、上記部分画像データの中心、上記部分画像データの重心などが挙げられる。
【０１１４】
なお、センサ制御部６０２から受信する画像データから、複数の部分画像データが抽出された場合、センサデータ処理部７０３は、該抽出された複数の部分画像データのそれぞれの代表点を検出し、当該検出された各代表点の、部分画像における位置を示す代表座標の座標データを主制御部８００に送信する。したがって、例えば、ユーザが、複数の指やペンなどでセンサ内蔵液晶パネル３０１上の複数箇所を同時にタッチした場合、センサデータ処理部７０３は、該タッチした各領域の代表点の、各領域における位置を示す代表座標の座標データを、主制御部８００に送信する。
【０１１５】
次に、センサデータ処理部７０３は、「データ種別」フィールドの値が“座標”であるコマンドを受信すると、上記代表点の、全体画像データにおける位置を示す代表座標の座標データを主制御部８００に送信する。
【０１１６】
なお、センサ制御部６０２から受信する画像データから、複数の部分画像データが抽出された場合、センサデータ処理部７０３は、該抽出された複数の部分画像のそれぞれの代表点の、全体画像における位置を示す代表座標の座標データを主制御部８００に送信する。したがって、例えば、ユーザが、複数の指やペンなどでセンサ内蔵液晶パネル３０１上の複数箇所を同時にタッチした場合、センサデータ処理部７０３は、該タッチした各領域の代表点の、全体画像における位置を示す代表座標の座標データを、主制御部８００に送信する。
【０１１７】
すなわち、データ表示／センサ装置１００は、ユーザが指やペンなどでセンサ内蔵液晶パネル３０１をタッチした数に関わらず、該タッチした領域の代表点を検出することができる（多点検出）。そして、該検出された代表点の、部分画像における位置を示す代表座標の座標データ、および、全体画像における位置を示す代表座標の座標データを主制御部８００にすることができる。
【０１１８】
なお、全体画像データ、部分画像データ、および座標データの具体例については、模式図を参照しながら後述する。
【０１１９】
次に、「スキャン方式」フィールドは、スキャン実行時に、バックライト３０７を点灯するか否かを指定するフィールドである。「スキャン方式」フィールドには、例えば、“00”（反射）、“01”（透過）、および“10”（反射／透過）という値が指定可能である。
【０１２０】
“反射”は、バックライト３０７を点灯した状態でスキャンを行なうことを指定するものである。よって、センサデータ処理部７０３は、「スキャン方式」フィールドの値が“反射”であるコマンドを受信すると、光センサ駆動回路３０５とバックライト駆動回路３０８とが同期して動作するように、センサ制御部６０２とバックライト制御部６０３とに指示を与える。
【０１２１】
また、“透過”は、バックライト３０７を消灯した状態でスキャンを行なうことを指定するものである。よって、センサデータ処理部７０３は、「スキャン方式」フィールドの値が“透過”であるコマンドを受信すると、光センサ駆動回路３０５を動作させ、バックライト駆動回路３０８と動作させないようにセンサ制御部６０２とバックライト制御部６０３とに指示を与える。なお、“反射／透過”は、“反射”と“透過”とを併用してスキャンを行なうことを指定するものである。
【０１２２】
次に、「スキャン画像階調」フィールドは、部分画像データおよび全体画像データの階調を指定するフィールドである。「スキャン画像階調」フィールドには、例えば、“00”（２値）、および“01”（多値）という値が指定可能である。
【０１２３】
ここで、センサデータ処理部７０３は、「スキャン画像階調」フィールドの値が“２値”であるコマンドを受信すると、部分画像データおよび全体画像データをモノクロデータとして、主制御部８００に送信する。
【０１２４】
また、センサデータ処理部７０３は、「スキャン画像階調」フィールドの値が“多値”であるコマンドを受信すると、部分画像データおよび全体画像データを多階調データとして、主制御部８００に送信する。
【０１２５】
次に、「スキャン解像度」フィールドは、部分画像データおよび全体画像データの解像度を指定するフィールドである。「スキャン解像度」フィールドには、例えば、“0”（高）および“1”（低）という値が指定可能である。
【０１２６】
ここで、“高”は、高解像度を指定するものである。よって、センサデータ処理部７０３は、「スキャン解像度」フィールドの値が“高”であるコマンドを受信すると、部分画像データおよび全体画像データを高解像度で主制御部８００に送信する。例えば、画像認識などの画像処理を行なう対象の画像データ（指紋などの画像データ）には、“高”を指定することが望ましい。
【０１２７】
また、“低”は、低解像度を指定するものである。よって、センサデータ処理部７０３は、「スキャン解像度」フィールドの値が“低”であるコマンドを受信すると、部分画像データおよび全体画像データを低解像度で主制御部８００に送信する。例えば、タッチした位置等が分かる程度でよい画像データ（タッチした指や手の画像データなど）には、“低”を指定することが望ましい。
【０１２８】
次に、「スキャンパネル」フィールドは、どの表示／光センサ部３００にて対象物のスキャンを行なうかを指定するフィールドである。「スキャンパネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【０１２９】
ここで、センサデータ処理部７０３は、「スキャンパネル」フィールドの値が“第１表示／光センサ部３００Ａ”であるコマンドを受信すると、第１表示／光センサ部３００Ａの光センサ駆動回路３０５およびバックライト駆動回路３０８を制御するように、センサ制御部６０２およびバックライト制御部６０３に指示を与える。
【０１３０】
次に、「表示パネル」フィールドは、どの表示／光センサ部３００にて表示データを表示させるかを指定するフィールドである。「表示パネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【０１３１】
ここで、表示データ処理部７０１は、例えば、「表示パネル」フィールドの値が“第１表示／光センサ部３００Ａ”であるコマンドを受信すると、第１表示／光センサ部３００Ａに表示データを表示させるために、第１表示／光センサ部３００Ａの液晶パネル駆動回路３０４およびバックライト駆動回路３０８を制御するように、表示制御部６０１およびバックライト制御部６０３に指示を与える。
【０１３２】
次に、「バックライト制御パネル」フィールドは、どの表示／光センサ部３００に含まれるバックライト３０７の輝度を制御するかを指定するフィールドである。「バックライト制御パネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【０１３３】
次に、「バックライト輝度レベル」フィールドは、バックライト３０７の輝度のレベルを指定するフィールドである。「バックライト輝度レベル」フィールドには、例えば、１０段階のレベル（例えば、設定値の０％から、１０％毎に１００％まで）が指定可能である。設定値の０％は、例えば“0000”、設定値の１００％は、例えば、“1010”という値で指定すればよい。
【０１３４】
例えば、表示データ処理部７０１およびセンサデータ処理部７０３は、「バックライト制御パネル」フィールドの値が“001”（第１表示／光センサ部３００Ａ）であって、かつ、「バックライト輝度レベル」フィールドの値が“0011”（設定値の３０％）であるコマンドを受信すると、第１表示／光センサ部３００Ａのバックライト３０７の輝度レベルを設定値の３０％に制御するように、バックライト制御部６０３に指示を与える。
【０１３５】
次に、「予備」フィールドは、上述したフィールドにて指定可能な情報以外の情報をさらに指定する必要がある場合に、適宜指定されるフィールドである。
【０１３６】
なお、主制御部８００にて実行されるアプリケーションは、コマンドを送信するにあたり、上述したフィールドを全て使用する必要はなく、使用しないフィールドには無効値（ＮＵＬＬ値など）を設定しておけばよい。
【０１３７】
また、ユーザが指やペンなどでタッチした位置の座標データを取得したいときは、「データ種別」フィールドに“座標”を指定したコマンドをデータ処理部７００に送信することとなるが、指やペンなどは動きがあるため、さらに、当該コマンドの「データ取得タイミング」フィールドに“オール”を指定し、座標データを取得するようにすることが望ましい。また、タッチした位置の座標データが取得できればよいため、スキャンの精度は高くなくてもよい。したがって、上記コマンドの「スキャン解像度」フィールドの値は“低”を指定しておけばよい。
【０１３８】
また、コマンドの「データ種別」フィールドに“座標”を指定した場合において、例えば、ユーザが、複数の指やペンなどでセンサ内蔵液晶パネル３０１を同時にタッチした場合は、該タッチした位置の座標データのそれぞれを取得することができる（多点検出）。
【０１３９】
また、原稿などの対象物の画像データを取得する場合、「データ種別」フィールドに“全体画像”を指定したコマンドをデータ処理部７００に送信することとなるが、原稿などの対象物は、通常、静止させた状態でスキャンを実行することが一般的であるため、周期的にスキャンを実行する必要はない。従って、この場合は、「データ取得タイミング」フィールドに“センス”または“イベント”を指定することが望ましい。なお、原稿などの対象物をスキャンするときは、ユーザが文字を読みやすいように、スキャン精度は高い方が望ましい。したがって、「スキャン解像度」フィールドには“高”を指定することが望ましい。
【０１４０】
（全体画像データ／部分画像データ／座標データ）
次に、図７を参照しながら、全体画像データ、部分画像データ、および座標データについて、例を挙げて説明する。図７（ａ）に示す画像データは、対象物がセンサ内蔵液晶パネル３０１上に置かれていないときに、センサ内蔵液晶パネル３０１全体をスキャンした結果として得られる画像データである。また、図７（ｂ）に示す画像データは、ユーザが指でセンサ内蔵液晶パネル３０１をタッチしているときに、センサ内蔵液晶パネル３０１全体をスキャンした結果として得られる画像データである。
【０１４１】
ユーザが指でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【０１４２】
図７（ｂ）に示す画像データでは、図７（ａ）に示す画像データと比べると、ユーザの指に該当する部分の画素値の明度が高くなっている。そして、図７（ｂ）に示す画像データにおいて、明度が所定の閾値より大きく変化している画素値を全て含む最小の矩形領域（領域ＰＰ）が、“部分画像データ”である。
【０１４３】
なお、領域ＡＰで示される画像データが、“全体画像データ”である。
【０１４４】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【０１４５】
（センサ内蔵液晶パネルの構成）
次に、図８を参照しながら、センサ内蔵液晶パネル３０１の構成、および、センサ内蔵液晶パネル３０１の周辺回路３０９の構成について説明する。図８は、表示／光センサ部３００の要部、特に、センサ内蔵液晶パネル３０１の構成および周辺回路３０９の構成を示すブロック図である。
【０１４６】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称として用いる。
【０１４７】
画素回路３１は、センサ内蔵液晶パネル３０１上の列方向（縦方向）にｍ個、行方向（横方向）に３ｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【０１４８】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１４９】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１５０】
光センサ回路３２にて光の強度に応じた電圧を出力させるためには、まず、コンデンサ３５の一方の電極に接続されているセンサ読み出し線ＲＷiと、フォトダイオード３６のアノード端子に接続されているセンサリセット線ＲＳiとに所定の電圧を印加する。この状態において、フォトダイオード３６に光が入射されると、入射した光量に応じた電流がフォトダイオード３６に流れる。そして、当該電流に応じて、コンデンサ３５の他方の電極とフォトダイオード３６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１５１】
次に、センサ内蔵液晶パネル３０１の周辺回路である、液晶パネル駆動回路３０４、光センサ駆動回路３０５、およびセンサ出力アンプ４４について説明する。
【０１５２】
液晶パネル駆動回路３０４は、画素回路３１を駆動するための回路であり、走査信号線駆動回路３０４１およびデータ信号線駆動回路３０４２を含んでいる。
【０１５３】
走査信号線駆動回路３０４１は、表示制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１５４】
データ信号線駆動回路３０４２は、表示制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１５５】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１５６】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１５７】
（データ表示／センサ装置の筐体）
本実施形態に係るデータ表示／センサ装置１００は、２つの表示／光センサ部３００（第１表示／光センサ部３００Ａおよび第２表示／光センサ部３００Ｂ）を備えている。データ表示／センサ装置１００の筐体は、例えば、図９に示すように、２つの表示／光センサ部３００がそれぞれ上下方向に開閉する形状のものを想定しているが、これに限定されるものではなく、どのような形状の筐体であってもよい。例えば、２つの表示／光センサ部３００が観音開きのように開閉する形状のものであってもよい。
【０１５８】
なお、以降では、説明の便宜上、第１表示／光センサ部３００Ａを「表示部３００Ａ」と表記し、第２表示／光センサ部３００Ｂを「表示部３００Ｂ」と表記する。表示部３００Ａおよび表示部３００Ｂを区別しないときは「表示部３００」と表記する。また、表示部３００Ａのバックライト３０７を「バックライト３０７Ａ」と表記し、表示部３００Ｂのバックライト３０７を「バックライト３０７Ｂ」と表記する。バックライト３０７Ａおよびバックライト３０７Ｂを区別しないときは、バックライト３０７と表記する。
【０１５９】
（データ表示／センサ装置にて省電力制御を行なう様子の典型例）
次に、図９から図１２を参照しながら、データ表示／センサ装置１００が、省電力制御を行なう様子の典型例について説明する。なお、ここでは、省電力制御を行なう様子についての概要を説明し、各処理の詳細については後述する。
【０１６０】
ここでは、データ表示／センサ装置１００の表示部３００Ａおよび表示部３００Ｂに、連動した表示を行なう代表例として、あるＷｅｂページに表示されたハイパーリンク（以下、単にリンクと表記する）のリンク先のＷｅｂページを新たに表示する場合を例に挙げて説明する。
【０１６１】
まず、図９は、表示部３００Ａにて、Ｗｅｂブラウザ（以下、単にブラウザと表記する）を用いてＷｅｂページＷ１を表示し、かつ、表示部３００Ｂにて、別のブラウザを用いてＷｅｂページＷ２を表示している様子を示す模式図である。
【０１６２】
ここで、ＷｅｂページＷ２は、ＷｅｂページＷ１に含まれるリンクＨのリンク先のＷｅｂページであるものとする。言い換えれば、ＷｅｂページＷ１は連動元の情報であり、ＷｅｂページＷ２は連動先の情報である。また、ＷｅｂページＷ１を表示しているブラウザは、連動元のアプリケーションであり、ＷｅｂページＷ２を表示しているブラウザは、連動先のアプリケーションである。
【０１６３】
さらに、Ｗｅｂページのリンクを階層構造として捉えると、ＷｅｂページＷ１は上位階層の情報であり、ＷｅｂページＷ２は下位階層の情報であると言ってもよい。同様に、ＷｅｂページＷ１を表示しているブラウザは、上位階層のアプリケーションであり、ＷｅｂページＷ２を表示しているブラウザは、下位階層のアプリケーションであると言ってもよい。
【０１６４】
なお、表示部３００ＡにてＷｅｂページＷ１を表示している状態で、リンクをクリックしたとき、新たなＷｅｂページＷ２は表示部３００Ｂに表示されるように予め設定されているものとする。
【０１６５】
また、図９に示す状態は、バッテリー９１０の残量が多く、省電力制御を行なわなくてもよい（バックライト３０７の輝度レベルを下げなくてもよい）状態であるものとする。そのため、データ表示／センサ装置１００は、バックライト３０７Ａおよびバックライト３０７Ｂの輝度レベルを、予め定められた設定値の１００％（最大値）に制御しているものとする。なお、当該設定値は、工場出荷時などの時点で予め設定されている輝度レベルであるものとする。
【０１６６】
次に、図１０は、図９に示す状態から、バッテリー９１０の残量が所定閾値より減少したことにより、省電力制御を行なっている様子を示した模式図である。図１０では、バックライト３０７Ａの輝度レベルを下げていることを示している。
【０１６７】
このように、データ表示／センサ装置１００は、省電力制御を行なう場合、バックライト３０７Ａおよびバックライト３０７Ｂの両方の輝度レベルを下げるのではなく、表示部３００Ａおよび表示部３００Ｂの連動した表示に基づいて、いずれか一方のバックライト３０７の輝度レベルを下げてよいか否かを判定する。
【０１６８】
当該判定を行うにあたり、データ表示／センサ装置１００は、表示部３００Ａに表示されているアプリケーション等、および、表示部３００Ｂに表示されているアプリケーション等が、互いに連動して表示されたものであるか否かを調べる。そして、連動して表示されたものである場合、データ表示／センサ装置１００は、連動元となるアプリケーション等を表示している側の表示部３００のバックライト３０７の輝度レベルを下げる制御を行なう。
【０１６９】
図示の例では、上述したように、表示部３００Ａに表示しているＷｅｂページＷ１は、表示部３００Ｂに表示しているＷｅｂページＷ２のリンク元であることを想定している。そのため、データ表示／センサ装置１００は、連動元の情報であるＷｅｂページＷ１を表示している表示部３００Ａのバックライト３０７Ａの輝度レベルを下げている。
【０１７０】
なお、バックライト３０７の輝度レベルを下げる割合は、バッテリー９１０の残量に応じて、予め段階的に定めておけばよい。この場合、バッテリー９１０の残量が１段階減少する毎に、データ表示／センサ装置１００は、バックライト３０７の輝度レベルを下げる。
【０１７１】
また、表示部３００Ａに表示されているアプリケーション等、および、表示部３００Ｂに表示されているアプリケーション等が、互いに連動して表示されたものではない場合であれば、データ表示／センサ装置１００は、いずれのバックライト３０７の輝度レベルも下げない。なお、連動して表示されていない例としては、表示部３００ＡにてＷｅｂページを表示しているブラウザと、表示部３００Ｂにて表示されているエディタとが、いずれもユーザのメニュー操作等によって独立に起動されている場合（つまり、ブラウザとエディタとが互いに連携せずに起動されている場合）などが挙げられる。
【０１７２】
なお、このように、アプリケーション等が連動して表示されていない場合であっても、例えば、ユーザが操作しなくなった状態（つまり、非アクティブな状態）になってから所定時間が経過しているアプリケーション等が表示されている表示部３００については、ユーザが注視している可能性は低いため、当該表示部３００のバックライト３０７の輝度レベルを適宜下げるように制御してもよい。
【０１７３】
次に、図１１は、図１０に示す状態の後、バッテリー９１０の残量が所定閾値を下回ったため、バックライトへの電源供給をオフにした様子を示した模式図である。ここでは、図示のとおり、バックライト３０７Ａへの電源供給をオフにし、表示部３００Ａの表示を消している。なお、バッテリー９１０の残量が所定閾値を下回ったときに行なう省電力制御の内容として、バックライト３０７への電源供給をオフにすることは、予め定めておけばよい。
【０１７４】
次に、図１２は、図１１に示す状態の後、バッテリー９１０が完全に消耗したため、データ表示／センサ装置１００の電源供給をオフにした様子を示した模式図である。そのため、図示のとおり、バックライト３０７Ｂへの電源供給もオフになり、表示部３００Ｂの表示も消えている。なお、一般的に行なわれるように、バッテリー９１０が完全に消耗する所定時間前に、所定の警告メッセージを表示部３００に表示することが望ましい。
【０１７５】
以上で説明したように、データ表示／センサ装置１００は、表示部３００Ａに表示されているアプリケーション等と、表示部３００Ｂに表示されているアプリケーション等とが連動して表示されたものであるか否かを判定し、連動して表示されたものである場合は、予め設定されている省電力制御を実行する。例えば、連動元のアプリケーション等を表示している表示部３００のバックライト３０７の輝度レベルを、バッテリー９１０の残量に応じて下げる。
【０１７６】
（主制御部および記憶部のより詳細な構成）
次に、図１を参照しながら、データ表示／センサ装置１００のより詳細な構成について説明する。図１は、データ表示／センサ装置１００のより詳細な構成を示すブロック図である。なお、ここでは、説明を分かりやすくするために、主制御部８００と表示／光センサ部３００との間に位置するデータ処理部７００および回路制御部６００の動作については説明を省略する場合がある。ただし、正確には、主制御部８００の各部が、データ処理部７００にコマンドを送信し、データ処理部７００がコマンドに基づいて回路制御部６００を制御し、回路制御部６００が表示／光センサ部３００に対して信号を送信する。
【０１７７】
（記憶部９０１）
図示のように、記憶部９０１は、表示部使用状況記憶部２１、および省電力制御内容記憶部２２を含んでいる。
【０１７８】
表示部使用状況記憶部２１は、データ表示／センサ装置１００にて表示中のアプリケーション等が、（１）どの表示部３００に表示されているか、および、（２）上記表示中のアプリケーション等の連動元のアプリケーション等について、読み出し可能な状態で記憶するものである。
【０１７９】
表示部使用状況記憶部２１は、例えば下記の表１に示すようなデータ構造とすることができる。表１は、表示部使用状況記憶部２１のデータ構造の一例を示す表である。
【０１８０】
【表１】
2010092339.tif 000003
【０１８１】
表１に示すように、表示部使用状況記憶部２１は、「識別情報」、「表示部」、および「連動元」の組を少なくとも記憶する。
【０１８２】
「識別情報」は、データ表示／センサ装置１００にて表示中のアプリケーション等を識別する情報を格納するカラムである。表１の例では、“ＷｅｂページＰ１”という識別情報を有するＷｅｂページと、“ＷｅｂページＰ２”という識別情報を有するＷｅｂページとが表示中であることを記憶している。なお、表１の例のように、併せて、ＷｅｂページＰ１は、“ブラウザＢ１”という識別情報を有するブラウザが表示しており、また、ＷｅｂページＰ２は、“ブラウザＢ２”という識別情報を有するブラウザが表示していることを記憶してもよい。さらに言えば、“ブラウザＢ１”および“ブラウザＢ２”のみを記憶していてもよい。
【０１８３】
「表示部」は、「識別情報」カラムで示されるアプリケーション等が表示されている表示部３００の識別情報を格納するカラムである。表１の例では、ＷｅｂページＰ１は、“表示部３００Ａ”に表示されており、ＷｅｂページＰ２は、“表示部３００Ｂ”に表示されていることを記憶している。
【０１８４】
「連動元」は、連動元、つまり、呼び出し元やリンク元のアプリケーション等の識別情報を格納するカラムである。表１の例では、ＷｅｂページＰ２の連動元は、ＷｅｂページＰ１（およびブラウザＢ１）であることを記憶している。したがって、ＷｅｂページＰ２は、ＷｅｂページＰ１のリンク先である。また、ブラウザＢ２というＷｅｂブラウザは、ブラウザＢ１というＷｅｂブラウザから呼び出されたものである。
【０１８５】
なお、表１の１つめのレコードの「連動元」カラムには、ＷｅｂページＰ１の連動元は無いこと（ｎｕｌｌ値）を記憶している。つまり、ＷｅｂページＰ１は、他のアプリケーション等に連動して表示されたものではなく、ユーザのメニュー操作等により独立に表示されたものであることを記憶している。
【０１８６】
次に、省電力制御内容記憶部２２は、バッテリーの消耗レベルと省電力制御の内容とを対応付けて記憶するものである。バッテリーの消耗レベル（以下、ＤＬとも表記する）は、バッテリーが消耗しているレベルを示す値であり、バッテリー残量に応じて予め定められるものとする。
【０１８７】
省電力制御内容記憶部２２は、例えば下記の表２に示すようなデータ構造とすることができる。表２は、省電力制御内容記憶部２２のデータ構造の一例を示す表である。
【０１８８】
【表２】
2010092339.tif 000004
【０１８９】
表２の例では、バッテリーの消耗レベルは、“０”〜“４”の５段階としている。そして、バッテリーの消耗レベル“０”〜“４”は、それぞれ、バッテリー残量が、最大量の、“０％以上１％未満”、“１％以上１０％未満”、“１０％以上２０％未満”、“２０％以上４０％未満”、および“４０％以上１００％以下”を意味している。なお、バッテリーの消耗レベルを何段階に分けるか、および、各段階に対応するバッテリー残量については、表２の例に限定されるものではなく、バッテリーを搭載する装置の特性に応じて定めればよい。
【０１９０】
そして、表２の例では、バッテリーの消耗レベルに対応する省電力制御の内容が「制御内容」に記憶されている。例えば、バッテリー残量が４０％以上１００％以下である場合は、まだ省電力制御を行なう必要がない（バックライトの輝度レベルを下げる必要は無い）ことから、バッテリーの消耗レベル“４”には、“バックライトの輝度レベルを設定値の１００％に制御する“ことが対応付けられている。また、例えば、バッテリー残量が１％未満である場合は、データ表示／センサ装置１００が動作可能な時間が残り少ないことから、バッテリーの消耗レベル“０”には、“電源をオフにする“ことが対応付けられている。
【０１９１】
なお、「制御内容」として記憶する情報は、工場出荷時などの時点で予め設定されていてもよいし、ユーザ設定可能になっていてもよい。
【０１９２】
（主制御部８００）
次に、主制御部８００について説明する。図示のように、主制御部８００は、データ表示制御部（画像表示制御手段）１１、バッテリー残量検出部（バッテリー検出手段）１２、省電力制御指示部（バックライト輝度制御手段）１３、表示部使用状態判定部１４、および電源制御部１５を含んでいる。
【０１９３】
まず、データ表示制御部１１について説明する。データ表示制御部１１は、表示部３００へのアプリケーション等の表示を制御する。データ表示制御部１１が表示制御するアプリケーションは、Ｗｅｂブラウザ、メーラー、エディタ、ソフトキーボードなどが挙げられるが、これらに限定されるものではなく、他のアプリケーションであってもよい。
【０１９４】
上述したアプリケーションを制御するために、データ表示制御部１１は、ブラウザ処理部１１１、メーラー処理部１１２、エディタ処理部１１３、およびソフトキーボード処理部１１４を含んでいる。ブラウザ処理部１１１は、１または複数のＷｅｂブラウザの起動／停止、および、Ｗｅｂブラウザでのデータ送受信、データ表示、ユーザ入力の受け付けなど、一般的なＷｅｂブラウザが備える機能を具備するものである。メーラー処理部１１２は、１または複数のメーラーの起動／停止、および、メーラーでのデータ送受信、データ表示、ユーザ入力の受け付けなど、一般的なメーラーが備える機能を具備するものである。エディタ処理部１１３は、１または複数のエディタの起動／停止、および、エディタでのデータ表示、ユーザ入力の受け付けなど、一般的なエディタが備える機能を具備するものである。ソフトキーボード処理部１１４は、１または複数のソフトキーボードの起動／停止、および、ソフトキーボードでのデータ表示、ユーザ入力の受け付けなど、一般的なソフトキーボードが備える機能を具備するものである。
【０１９５】
ここで、データ表示制御部１１は、ブラウザ処理部１１１、メーラー処理部１１２、エディタ処理部１１３、ソフトキーボード処理部１１４が表示するアプリケーション等の連動表示を制御する。具体的には、連動先となるアプリケーション等を表示するために必要となる情報の制御をデータ表示制御部１１が行なう。
【０１９６】
例えば、ブラウザ処理部１１１が表示部３００Ａに表示したブラウザにて表示されているＷｅｂページ内のリンクをユーザがクリック操作する等によって、当該リンク先のＷｅｂページを表示するブラウザをブラウザ処理部１１１が表示部３００Ｂに新たに起動する場合、当該リンク先を示すＵＲＬ（Uniform Resource Locator）を含むリンク情報が、上記２つのブラウザ間で受け渡されることによって、当該リンク先のＷｅｂページが表示される。この場合、データ表示制御部１１は、ブラウザ処理部１１１との間で、上記リンク情報の受け渡し元のブラウザ（連動元）から、当該リンク情報の受け渡し先のブラウザ（連動先）に、上記リンク情報を受け渡すことによって、これらブラウザを連動して表示するように制御する。
【０１９７】
また、データ表示制御部１１は、ブラウザ処理部１１１、メーラー処理部１１２、エディタ処理部１１３、ソフトキーボード処理部１１４のいずれかが、アプリケーション等を表示部３００に表示させたこと、または、表示が中止させたことをトリガとして、表示部使用状況記憶部２１を更新する。アプリケーション等が新たに表示部３００に表示されたときは、表示部使用状況記憶部２１に新たなレコードを作成するとともに、当該アプリケーション等が表示されている表示部３００、および、連動して表示されたアプリケーション等がある場合は、当該連動元のアプリケーション等の識別情報を、それぞれ、「表示部」カラムおよび「連動元」カラムに格納する。
【０１９８】
また、アプリケーション等の表示部３００への表示が中止されたときは、当該アプリケーション等の識別情報を格納しているレコードを削除するとともに、当該アプリケーション等の識別情報を「連動元」カラムに格納しているレコードを検索し、「連動元」カラムの値をｎｕｌｌ値に設定する。
【０１９９】
次に、バッテリー残量検出部１２について説明する。バッテリー残量検出部１２は、所定周期でバッテリー９１０にアクセスし、バッテリー残量を調べ、バッテリーの消耗レベルを判定する。バッテリーの消耗レベルは、例えば表２に示したように、バッテリー残量に応じて予め定めておけばよい。
【０２００】
そして、バッテリー残量検出部１２は、上記判定したバッテリーの消耗レベルを、省電力制御指示部１３に通知する。
【０２０１】
なお、バッテリーの消耗レベルが“０”である場合、バッテリー残量検出部１２は、バッテリーが完全に消耗した旨の警告メッセージを表示部３００に表示させることが望ましい。同様に、バッテリーの消耗レベルが“１”である場合、バッテリーが消耗した旨の警告メッセージを表示部３００に表示させることが望ましい。
【０２０２】
次に、省電力制御指示部１３について説明する。省電力制御指示部１３は、省電力制御（バックライト３０７の制御、および、電源のオフ）の指示を行なう。具体的には、バッテリー残量検出部１２から通知された、バッテリーの消耗レベルに基づいて、電源制御部１５に指示を与えるか、または、データ処理部７００にコマンドを送信する。
【０２０３】
以下で、バッテリーの消耗レベルが“０”、“１”〜“３”、“４”である場合に分けて、説明する。なお、表２に示した情報が、省電力制御内容記憶部２２に記憶されているものとする。
【０２０４】
バッテリー残量検出部１２から通知された、バッテリーの消耗レベルが“０”である場合、省電力制御指示部１３は、バッテリーの消耗レベルに基づいて省電力制御内容記憶部２２を検索すると、“電源をオフにする”という制御内容を参照することとなる。したがって、省電力制御指示部１３は、電源をオフにする指示を電源制御部１５に通知する。
【０２０５】
次に、バッテリー残量検出部１２から通知された、バッテリーの消耗レベルが“４”である場合、省電力制御指示部１３は、バッテリーの消耗レベルに基づいて省電力制御内容記憶部２２を検索すると、“バックライトの輝度レベルを設定値の１００％に制御する”という制御内容を参照することとなる。そして、当該参照した制御内容に応じて、表示部３００Ａおよび表示部３００Ｂのバックライト３０７を制御するために、省電力制御指示部１３は、表示部３００Ａおよび表示部３００Ｂのバックライト３０７の輝度レベルを設定値の１００％に制御するためのコマンドをデータ処理部７００に送信する。当該コマンドの設定する値については、後述する。データ処理部７００は、当該コマンドに基づいて、バックライト制御部６０３およびバックライト駆動回路３０８を介して、表示部３００Ａおよび表示部３００Ｂのバックライト３０７の輝度レベルを設定値の１００％に制御する。
【０２０６】
次に、バッテリー残量検出部１２から通知された、バッテリーの消耗レベルが“１”、“２”、および“３”のいすれかである場合、省電力制御指示部１３は、バッテリー残量検出部１２から通知されたバッテリーの消耗レベルと、表示部３００の使用状態とに基づいて、省電力制御の指示内容を決定する。
【０２０７】
表示部３００の使用状態とは、（１）いずれの表示部３００にもアプリケーション等が表示されていない状態（状態Ｘ１とする）、または、（２）いずれか１つの表示部３００にアプリケーション等が表示されている状態（状態Ｘ２とする）、または、（３）両方の表示部３００にアプリケーション等が表示されており、省電力制御を行なうべき状態（状態Ｘ３とする）、または、（４）両方の表示部３００にアプリケーション等が表示されているが、省電力制御を行なわなくてよい状態（状態Ｘ４とする）のいずれかである。
【０２０８】
省電力制御指示部１３は、表示部３００の使用状態を調べるための、表示部使用状態判定部１４を含んでいる。表示部使用状態判定部１４は、表示部３００の使用状態が、状態Ｘ１〜Ｘ４のいずれであるかを判定する。状態Ｘ１〜Ｘ４の判定方法について、以下で具体的に説明する。
【０２０９】
まず、アプリケーション等が表示されている表示部３００の有無を調べるために、表示部使用状態判定部１４は、表示部使用状況記憶部２１を検索する。そして、表示部使用状況記憶部２１にレコードが１つも格納されていない場合、アプリケーション等は表示されていないこととなるため、表示部使用状態判定部１４は、状態Ｘ１であると判定する。
【０２１０】
また、表示部使用状況記憶部２１を検索した結果、「表示部」カラムの値が“表示部３００Ａ”であるレコードが１つ以上検索され、かつ、「表示部」カラムの値が“表示部３００Ｂ”であるレコードが検索されない場合は、表示部使用状態判定部１４は、状態Ｘ２であると判定する。なお、この場合は、表示部３００Ａのみが使用されている状態である。
【０２１１】
また、「表示部」カラムの値が“表示部３００Ｂ”であるレコードが１つ以上検索され、かつ、「表示部」カラムの値が“表示部３００Ａ”であるレコードが検索されない場合は、表示部使用状態判定部１４は、状態Ｘ２であると判定する。なお、この場合は、表示部３００Ｂのみが使用されている状態である。
【０２１２】
また、「表示部」カラムの値が“表示部３００Ａ”であるレコードが１つ以上検索され、かつ、「表示部」カラムの値が“表示部３００Ｂ”であるレコードが１つ以上検索された場合は、表示部使用状態判定部１４は、両方の表示部３００にアプリケーション等が表示されている状態であると判定する。
【０２１３】
そして、両方の表示部３００に表示されている場合、さらに、表示部使用状態判定部１４は、省電力制御を行なうべき状態にあるか否かを調べる。具体的には、表示部３００Ａに表示されているアプリケーション等と、表示部３００Ｂに表示されているアプリケーション等とが、連動して表示されたものであるか否かを調べる。
【０２１４】
そのために、表示部使用状態判定部１４は、表示部使用状況記憶部２１の「連動元」カラムの値が“ｎｕｌｌ”ではないレコードを検索する。そして、当該レコードが存在する場合、当該レコードの「表示部」カラムの値と、当該レコードの「連動元」カラムの値で示されるデータを「識別情報」カラムに有するレコードの「表示部」カラムの値とを調べ、それらが異なる場合（つまり、片方が“表示部３００Ａ”であって、もう片方が“表示部３００Ｂ”である場合）、状態Ｘ３にあると判断する。なお、このとき、省電力制御の対象となるのは、「連動元」カラムの値が“ｎｕｌｌ”ではないレコードの「表示部」カラムの値で示される表示部３００である。換言すれば、省電力制御の対象となるのは、リンク先や呼び出し先のアプリケーション等を表示している表示部３００である。
【０２１５】
なお、上記において、「連動元」カラムの値が“ｎｕｌｌ”ではないレコードが無い場合（つまり、連動して表示されたアプリケーション等が無い場合）は、表示部使用状態判定部１４は、状態Ｘ４にあると判断する。
【０２１６】
次に、省電力制御指示部１３は、表示部使用状態判定部１４が調べた表示部３００の使用状態と、バッテリー残量検出部１２から通知されたバッテリーの消耗レベルとに基づいて、省電力制御の内容を決定する。以下で、表示部３００の使用状態が、状態Ｘ１、状態Ｘ２、状態Ｘ３、および状態Ｘ４である場合のそれぞれについて説明する。
【０２１７】
まず、表示部３００の使用状態が状態Ｘ１であるとき、省電力制御指示部１３は、表示部３００Ａおよび表示部３００Ｂのバックライト３０７の輝度レベルを、バッテリーの消耗レベルに応じて制御する。そのために、省電力制御指示部１３は、省電力制御内容記憶部２２を検索し、バッテリー残量検出部１２から通知されたバッテリーの消耗レベルに対応する制御内容を参照する。そして、該参照した制御内容に応じて、表示部３００Ａおよび表示部３００Ｂのバックライト３０７を制御するためのコマンドをデータ処理部７００に送信する。
【０２１８】
具体的には、バッテリーの消耗レベルが“３”であるときは、バックライトの輝度レベルを設定値の６０％に制御するためのコマンドをデータ処理部７００に送信する。データ処理部７００は、当該コマンドに基づいて、バックライト制御部６０３およびバックライト駆動回路３０８を介して、表示部３００Ａおよび表示部３００Ｂのバックライト３０７の輝度レベルを設定値の６０％に制御する。
【０２１９】
また、バッテリーの消耗レベルが“２”であるときは、バックライトの輝度レベルを設定値の３０％に制御するためのコマンドをデータ処理部７００に送信する。データ処理部７００は、当該コマンドに基づいて、バックライト制御部６０３およびバックライト駆動回路３０８を介して、表示部３００Ａおよび表示部３００Ｂのバックライト３０７の輝度レベルを設定値の３０％に制御する。
【０２２０】
また、バッテリーの消耗レベルが“１”であるときは、バックライトをオフにするためのコマンドをデータ処理部７００に送信する。データ処理部７００は、当該コマンドに基づいて、バックライト制御部６０３およびバックライト駆動回路３０８を介して、表示部３００Ａおよび表示部３００Ｂのバックライト３０７の輝度レベルを設定値の０％に制御する。これによって、表示部３００Ａおよび表示部３００Ｂのバックライト３０７をオフに制御する。
【０２２１】
次に、表示部３００の使用状態が状態Ｘ２であるとき、省電力制御指示部１３は、アプリケーション等が表示されていない表示部３００のバックライト３０７の輝度レベルを、バッテリーの消耗レベルに応じて制御する。
【０２２２】
そのために、省電力制御指示部１３は、省電力制御内容記憶部２２を検索し、バッテリー残量検出部１２から通知されたバッテリーの消耗レベルに対応する制御内容を参照する。そして、該参照した制御内容に応じて、アプリケーション等が表示されていない表示部３００のバックライト３０７を制御するためのコマンドをデータ処理部７００に送信する。
【０２２３】
なお、省電力制御指示部１３は、アプリケーション等が表示されている表示部３００のバックライト３０７の輝度レベルについては、バッテリーの消耗レベルが“４”であるものとして制御する。そのために、省電力制御指示部１３は、省電力制御内容記憶部２２を検索し、バッテリーの消耗レベル“４”に対応する制御内容を参照する。そして、該参照した制御内容に応じて、アプリケーション等が表示されている表示部３００のバックライト３０７を制御するためのコマンドをデータ処理部７００に送信する。
【０２２４】
次に、表示部３００の使用状態が状態Ｘ３であるとき、省電力制御指示部１３は、省電力制御対象である表示部３００のバックライト３０７の輝度レベルを、バッテリーの消耗レベルに応じて制御する。
【０２２５】
そのために、省電力制御指示部１３は、省電力制御内容記憶部２２を検索し、バッテリー残量検出部１２から通知されたバッテリーの消耗レベルに対応する制御内容を参照する。そして、該参照した制御内容に応じて、省電力制御対象である表示部３００のバックライト３０７を制御するためのコマンドをデータ処理部７００に送信する。
【０２２６】
なお、省電力制御対象でない表示部３００のバックライト３０７の輝度レベルは、バッテリーの消耗レベルが“４”であるものとして制御する。そのために、省電力制御指示部１３は、省電力制御内容記憶部２２を検索し、バッテリーの消耗レベル“４”に対応する制御内容を参照する。そして、該参照した制御内容に応じて、省電力制御対象でない表示部３００のバックライト３０７を制御するためのコマンドをデータ処理部７００に送信する。
【０２２７】
次に、表示部３００の使用状態が状態Ｘ４であるとき、省電力制御指示部１３は、表示部３００Ａおよび表示部３００Ｂのバックライト３０７の輝度レベルを、バッテリーの消耗レベルが“４”であるものとして制御する。
【０２２８】
そのために、省電力制御指示部１３は、省電力制御内容記憶部２２を検索し、バッテリーの消耗レベル“４”に対応する制御内容を参照する。そして、該参照した制御内容に応じて、表示部３００Ａおよび表示部３００Ｂのバックライト３０７を制御するためのコマンドをデータ処理部７００に送信する。
【０２２９】
次に、電源制御部１５について説明する。電源制御部１５は、ユーザによる電源スイッチ９０５の操作などを受け付け、データ表示／センサ装置１００の電源をオンまたはオフにする制御を行なうともに、バッテリー残量検出部１２からの電源をオフにする旨の通知を受けると、データ表示／センサ装置１００の電源をオフにする制御を行なう。
【０２３０】
なお、電源をオンにすると、図示しないＡＣ電源およびバッテリー９１０のいすれか一方が、データ表示／センサ装置１００が備える各部の全てに電力供給を行なうものとし、一方、電源をオフにすると、ＡＣ電源およびバッテリー９１０が、データ表示／センサ装置１００が備える各部の全てに電力供給を行なわないものとする。
【０２３１】
（省電力制御指示部１３が送信するコマンド）
次に、省電力制御指示部１３がデータ処理部７００に送信するコマンドに設定すべき値ついて説明する。まず、「バックライト制御パネル」フィールドに設定する値について説明する。（１）表示部３００Ａのバックライト３０７の輝度レベルを設定する場合、表示部３００Ａを指定する“001”を設定する。また、（２）表示部３００Ｂのバックライト３０７の輝度レベルを設定する場合、表示部３００Ｂを指定する“010”を設定する。また、（３）表示部３００Ａおよび表示部３００Ｂの両方のバックライト３０７の輝度レベルを設定する場合、表示部３００Ａおよび表示部３００Ｂの両方を指定する“011”を設定する。
【０２３２】
次に、「バックライト輝度レベル」フィールドに設定する値について説明する。（１）バックライトの輝度レベルを設定値の１００％に制御する場合、設定値の１００％を指定する“1010”を設定する。また、（２）バックライトの輝度レベルを設定値の６０％に制御する場合、設定値の６０％を指定する“0110”を設定する。また、（３）バックライトの輝度レベルを設定値の３０％に制御する場合、設定値の３０％を指定する“0011”を設定する。また、（４）バックライトをオフに制御する場合、設定値の０％を指定する“0000”を設定する。
【０２３３】
（省電力制御を行なう処理の流れ）
次に、図１３および図１４を参照しながら、本実施の形態に係るデータ表示／センサ装置１００において、省電力制御を行なう処理の流れの一例について説明する。図１３は、本実施の形態に係るデータ表示／センサ装置１００において、省電力制御を行なう処理の流れの一例を示すフローチャートである。
【０２３４】
まず、アプリケーション等が新たに表示部３００に表示された、または、表示が中止されたとき（ステップＳ２１にてＹＥＳ）、データ表示制御部１１が、表示部使用状況記憶部２１を更新する（ステップＳ２２）。具体的には、アプリケーション等が新たに表示されたとき、表示部使用状況記憶部２１に新たなレコードを作成するとともに、当該アプリケーション等が表示されている表示部３００、および、連動元となるアプリケーション等がある場合は、当該連動元の識別情報を、それぞれ「表示部」カラムおよび「連動元」カラムに格納する。また、アプリケーション等の表示部３００への表示が中止されたとき、当該アプリケーション等の識別情報を格納しているレコードを削除するとともに、当該アプリケーション等の識別情報を「連動元」カラムに格納しているレコードを検索し、「連動元」カラムの値をｎｕｌｌ値に設定する。
【０２３５】
そして、ステップＳ２１にてＮＯ、または、ステップＳ２２の後、省電力制御処理を行なう（ステップＳ３０）。省電力制御処理の具体的内容は、図１４を参照しながら説明する。
【０２３６】
図１４は、本実施の形態に係るデータ表示／センサ装置１００において、省電力制御の具体的な処理の流れの一例を示すフローチャートである。なお、ここでは、表２に示した、バッテリーの消耗レベルと省電力制御の内容とを対応付けが、省電力制御内容記憶部２２に記憶されているものとする。
【０２３７】
まず、バッテリー残量検出部１２が、バッテリー９１０にアクセスし、バッテリー残量を調べ、バッテリーの消耗レベルを判定する（ステップＳ３１）。そして、該判定したバッテリーの消耗レベルに応じた処理を行なう（ステップＳ３２以降）。
【０２３８】
バッテリーの消耗レベルが“０”である場合（ステップＳ３２にて“ＤＬ＝０”）、まず、バッテリー残量検出部１２が、バッテリーが完全に消耗した旨の警告メッセージを表示部３００に表示させる（ステップＳ３３）。その後、省電力制御指示部１３が、省電力制御内容記憶部２２を検索し、バッテリーの消耗レベルが“０”である場合の制御内容を参照する。この場合、制御内容は、“電源をオフにする”であるので、省電力制御指示部１３は、電源をオフにする指示を電源制御部１５に通知し、その結果、電源制御部１５はデータ表示／センサ装置１００の電源をオフにする（ステップＳ３４）。
【０２３９】
次に、バッテリーの消耗レベルが“０”である場合（ステップＳ３２にて“ＤＬ＝４”）、省電力制御指示部１３が、省電力制御内容記憶部２２を検索し、バッテリーの消耗レベルが“４”である場合の制御内容を参照する。この場合、制御内容は、“バックライトの輝度レベルを設定値の１００％に制御する”であるので、省電力制御指示部１３は、この制御内容に応じて、表示部３００Ａおよび表示部３００Ｂのバックライト３０７を制御する（ステップＳ４０）。具体的には、表示部３００Ａおよび表示部３００Ｂのバックライト３０７の輝度レベルを設定値の１００％に制御するためのコマンドをデータ処理部７００に送信する。これにより、データ処理部７００が、回路制御部６００を介して表示／光センサ部３００を制御するので、表示部３００Ａおよび表示部３００Ｂのバックライト３０７の輝度レベルが設定値の１００％に制御される。
【０２４０】
次に、バッテリーの消耗レベルが“１”、“２”、および“３”のいすれかである場合（ステップＳ３２にて“ＤＬ＝１または２または３”）について説明する。
【０２４１】
まず、バッテリーの消耗レベルが“１”である場合は（ステップＳ３６）、バッテリー残量検出部１２が、バッテリーが消耗した旨の警告メッセージを表示部３００に表示させる（ステップＳ３７）。
【０２４２】
そして、表示部使用状態判定部１４が、表示部３００の使用状態を調べる（ステップＳ３８）。具体的には、表示部使用状況記憶部２１を検索し、表示部３００の使用状態が、上述した、状態Ｘ１、Ｘ２，Ｘ３，およびＸ４のいずれであるかを調べる。状態Ｘ１〜Ｘ４の判定方法については、上述したとおりである。そして、表示部３００の使用状態に応じた処理を行なう（ステップＳ３９以降）。
【０２４３】
表示部３００の使用状態が“状態Ｘ１”である場合（ステップＳ３２にて“状態Ｘ１”）、省電力制御指示部１３は、表示部３００Ａおよび表示部３００Ｂのバックライト３０７の輝度レベルを、バッテリーの消耗レベルに応じて制御する（ステップＳ４０）。具体的には、省電力制御指示部１３は、省電力制御内容記憶部２２を検索し、バッテリー残量検出部１２から通知されたバッテリーの消耗レベルに対応する制御内容を参照する。そして、該参照した制御内容に応じて、表示部３００Ａおよび表示部３００Ｂのバックライト３０７を制御するためのコマンドをデータ処理部７００に送信する。これにより、データ処理部７００が、回路制御部６００を介して表示／光センサ部３００を制御するので、表示部３００Ａおよび表示部３００Ｂのバックライト３０７の輝度レベルが制御される。
【０２４４】
次に、表示部３００の使用状態が“状態Ｘ２”である場合（ステップＳ３２にて“状態Ｘ２”）、省電力制御指示部１３は、アプリケーション等が表示されていない表示部３００のバックライト３０７の輝度レベルを、バッテリーの消耗レベルに応じて制御する（ステップＳ４１）。具体的には、省電力制御指示部１３は、省電力制御内容記憶部２２を検索し、バッテリー残量検出部１２から通知されたバッテリーの消耗レベルに対応する制御内容を参照する。そして、該参照した制御内容に応じて、アプリケーション等が表示されていない表示部３００のバックライト３０７を制御するためのコマンドをデータ処理部７００に送信する。これにより、データ処理部７００が、回路制御部６００を介して表示／光センサ部３００を制御するので、アプリケーション等が表示されていない表示部３００のバックライト３０７の輝度レベルが制御される。
【０２４５】
また、省電力制御指示部１３は、アプリケーション等が表示されている表示部３００のバックライト３０７の輝度レベルについては、バッテリーの消耗レベルが“４”であるものとして制御する（ステップＳ４２）。つまり、省電力制御指示部１３は、省電力制御内容記憶部２２を検索し、バッテリーの消耗レベルが“４”である場合の制御内容を参照する。そして、この場合、制御内容は、“バックライトの輝度レベルを設定値の１００％に制御する”であるので、省電力制御指示部１３は、この制御内容に応じて、アプリケーション等が表示されている表示部３００のバックライト３０７を制御する。これにより、データ処理部７００が、回路制御部６００を介して表示／光センサ部３００を制御するので、アプリケーション等が表示されている表示部３００のバックライト３０７の輝度レベルが設定値の１００％に制御される。
【０２４６】
次に、表示部３００の使用状態が“状態Ｘ３”である場合（ステップＳ３２にて“状態Ｘ３”）、省電力制御指示部１３は、省電力制御対象である表示部３００のバックライト３０７の輝度レベルを、バッテリーの消耗レベルに応じて制御する（ステップＳ４３）。具体的には、省電力制御指示部１３は、省電力制御内容記憶部２２を検索し、バッテリー残量検出部１２から通知されたバッテリーの消耗レベルに対応する制御内容を参照する。そして、該参照した制御内容に応じて、省電力制御対象である表示部３００のバックライト３０７を制御するためのコマンドをデータ処理部７００に送信する。これにより、データ処理部７００が、回路制御部６００を介して表示／光センサ部３００を制御するので、省電力制御対象である表示部３００のバックライト３０７の輝度レベルが制御される。
【０２４７】
また、省電力制御指示部１３は、省電力制御対象でない表示部３００のバックライト３０７の輝度レベルについては、バッテリーの消耗レベルが“４”であるものとして制御する（ステップＳ４４）。つまり、省電力制御指示部１３は、省電力制御内容記憶部２２を検索し、バッテリーの消耗レベルが“４”である場合の制御内容（“バックライトの輝度レベルを設定値の１００％に制御する”）に応じて、アプリケーション等が表示されている表示部３００のバックライト３０７を制御する。これにより、データ処理部７００が、回路制御部６００を介して表示／光センサ部３００を制御するので、省電力制御対象でない表示部３００のバックライト３０７の輝度レベルが設定値の１００％に制御される。
【０２４８】
次に、表示部３００の使用状態が“状態Ｘ４”である場合（ステップＳ３２にて“状態Ｘ４”）、省電力制御指示部１３は、表示部３００Ａおよび表示部３００Ｂのバックライト３０７の輝度レベルを、バッテリーの消耗レベルが“４”であるものとして制御する（ステップＳ４５）。具体的には、省電力制御指示部１３は、省電力制御内容記憶部２２を検索し、バッテリーの消耗レベル“４”に対応する制御内容を参照する。そして、該参照した制御内容に応じて、表示部３００Ａおよび表示部３００Ｂのバックライト３０７を制御するためのコマンドをデータ処理部７００に送信する。これにより、データ処理部７００が、回路制御部６００を介して表示／光センサ部３００を制御するので、表示部３００Ａおよび表示部３００Ｂのバックライト３０７の輝度レベルが設定値の１００％に制御される。
【０２４９】
〔変形例〕
上述の実施形態では、特に、表示部３００Ａに表示されているアプリケーション等と、表示部３００Ｂに表示されているアプリケーション等とが、連動して表示されている場合に省電力制御を行なうようにしたが、逆に、連動して表示されている場合には、省電力制御を行なわないようにしてもよい。
【０２５０】
また、連動して表示される例として、上述の実施形態では、特に、リンク元からリンク先を表示する場合や、呼び出し元のアプリケーションから呼び出し先のアプリケーションを呼び出して表示する場合を例に挙げたが、これに限定されるものではない。
【０２５１】
なお、バックライト３０７の輝度レベルの制御を行なわない例として、さらに、図１５から図１７に示すようなケースが挙げられる。図１５から図１７は、データ表示／センサ装置１００において、バックライト３０７の輝度レベルの制御を行なわない一例を示す模式図である。
【０２５２】
図１５は、表示部３００Ａおよび表示部３００Ｂにまたがって、１つのＷｅｂブラウザにてＷｅｂページを表示している様子を示す模式図である。この場合、ユーザは、Ｗｅｂページのどの部分を注視しているかを特定しがたいため、表示部３００Ａおよび表示部３００Ｂの両方のバックライト３０７の輝度レベルを下げないことが望ましい。
【０２５３】
次に、図１６は、表示部３００Ａにメーラーを表示し、表示部３００Ｂには当該メーラーとは関係のないＷｅｂブラウザを表示している様子を示す模式図である。この場合も、ユーザは、どちらの表示部３００を注視しているかは特定しがたいため、表示部３００Ａおよび表示部３００Ｂの両方のバックライト３０７の輝度レベルを下げないことが望ましい。
【０２５４】
次に、図１７は、表示部３００Ａにソフトキーボード（ＱＷＥＲＴＹキーボードの画像）を表示し、表示部３００Ｂにはエディタを表示している様子を示す模式図である。ソフトキーボードにてユーザが入力を行なうことにより、当該入力した内容がエディタに表示されるものとする。この場合、ユーザは、どちらの表示部３００も同時に使用するため、表示部３００Ａおよび表示部３００Ｂの両方のバックライト３０７の輝度レベルを下げないことが望ましい。
【０２５５】
なお、バックライト３０７の輝度レベルの制御を行なわないケースであっても、アプリケーションが非アクティブな状態（非活性状態）になった場合は、ユーザが注視している可能性は低いため、例えば、非アクティブな状態になってから所定時間が経過したとき、当該アプリケーションを表示している表示部３００のバックライト３０７の輝度レベルを下げる、または、オフにするように制御してもよい。これにより、さらに、省電力化を図ることができる。
【０２５６】
なお、一般的に知られているように、アクティブな状態（活性状態）とは、ユーザの指やペンなどにより最後に操作が行われたアプリケーション等であり、一方、非アクティブな状態とは、アクティブでない状態であるものとする。
【０２５７】
また、上述では、バックライト３０７の輝度レベルを下げた状態において、再び輝度レベルを上げるという制御については触れていないが、一般的に行なわれているように、ユーザが指やペンなどで、バックライト３０７の輝度レベルが下げられている表示部３００をタッチ等したことをトリガとして、当該バックライト３０７の輝度レベルを再び上げるように制御することを想定している。なお、ユーザが、表示部３００上を指やペンなどでタッチ等したとき、光センサ回路３２が、指やペンなどの影像および反射像の少なくともいずれかを検知するので、その結果として、データ処理部７００から、上記タッチした領域を示す部分画像データ、および、上記タッチした位置を示す座標データを取得することができるため、ユーザが表示部３００上をタッチ等したことがわかる。
【０２５８】
また、アプリケーションによっては、表示部３００に表示する画像がほぼ固定的である場合がある。そのようなアプリケーションを表示する場合、表示する画像の輝度を一般的な画像処理によって高くしておき、かつ、バッテリー９１０の輝度レベルを常に低くしておいてもよい。つまり、バッテリー９１０の輝度レベル常に低くしておき、バッテリー９１０の輝度レベルは制御しないようにしてもよい。
【０２５９】
例えば、図１７に示したように、一般的なソフトキーボードのアプリケーションでは、ＱＷＥＲＴＹ配列のキーボードの画像を表示部３００に表示するが、ＱＷＥＲＴＹ配列のキーボードの画像は、ユーザ操作によって押下されたキーの表示色が反転する等を除いては、一般的に固定的な表示となる。したがって、ＱＷＥＲＴＹ配列のキーボードの画像の輝度を画像処理によって高くし、かつ、ソフトキーボードのアプリケーションを表示する表示部３００のバッテリー９１０の輝度レベルを常に低くしておき、バッテリー９１０の輝度レベルは制御しないようにしてもよい。これにより、ユーザの操作性を損なうことなく、省電力化を図ることができる。
【０２６０】
〔付記事項〕
上述では、データ表示／センサ装置１００の構成として、データ処理部７００や回路制御部６００を備える構成について説明したが、この構成に限定されるものではない。例えば、主制御部８００が回路制御部６００を直接制御し、主制御部８００が全体画像データ／部分画像データ／座標データを生成するような構成であってもよい。また、主制御部８００が表示／光センサ部３００を直接制御するような構成であってもよい。
【０２６１】
最後に、データ表示／センサ装置１００の主制御部８００、データ処理部７００、回路制御部６００は、ハードウェアロジックによって構成してもよいし、次のようにＣＰＵを用いてソフトウェアによって実現してもよい。
【０２６２】
すなわち、データ表示／センサ装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるデータ表示／センサ装置１００の制御プログラムのプログラムコード（実行形式プログラム、中間コードプログラム、ソースプログラム）をコンピュータで読み取り可能に記録した記録媒体を、上記データ表示／センサ装置１００に供給し、そのコンピュータ（またはＣＰＵやＭＰＵ）が記録媒体に記録されているプログラムコードを読み出し実行することによっても、達成可能である。
【０２６３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２６４】
また、データ表示／センサ装置１００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２６５】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６６】
本発明は、輝度の制御が可能なバックライトを有する表示部を複数備える表示装置に適用できる。特に、バッテリーにより駆動可能であって、バックライトを有する表示部を２つ備える携帯型のＰＤＡやノートパソコンなどに好適に適用できる。
【図面の簡単な説明】
【０２６７】
【図１】本発明の一実施形態に係るデータ表示／センサ装置の詳細構成を示すブロック図である。
【図２】本発明の一実施形態に係るデータ表示／センサ装置が備えるセンサ内蔵液晶パネルの断面を示す模式図である。
【図３】図３（ａ）は、本発明の一実施形態に係るデータ表示／センサ装置が備えるセンサ内蔵液晶パネルにて反射像を検知することにより、ユーザがタッチした位置を検出する様子を示す模式図である。図３（ｂ）は、本発明の一実施形態に係るデータ表示／センサ装置が備えるセンサ内蔵液晶パネルにて影像を検知することにより、ユーザがタッチした位置を検出する様子を示す模式図である。
【図４】本発明の一実施形態に係るデータ表示／センサ装置の要部構成を示すブロック図である。
【図５】本発明の一実施形態に係るデータ表示／センサ装置で用いられるコマンドのフレーム構造の一例を示す模式図である。
【図６】図５に示したコマンドに含まれる各フィールドに指定可能な値の一例、および、その概要を示す説明図である。
【図７】図７（ａ）は、本発明の一実施形態に係るデータ表示／センサ装置にて、対象物がセンサ内蔵液晶パネル上に置かれていないときに、センサ内蔵液晶パネル全体をスキャンした結果として得られる画像データである。図７（ｂ）は、本発明の一実施形態に係るデータ表示／センサ装置にて、ユーザが指でセンサ内蔵液晶パネルをタッチしているときに、スキャンした結果として得られる画像データである。
【図８】本発明の一実施形態に係るデータ表示／センサ装置が備えるセンサ内蔵液晶パネルの構成およびその周辺回路の構成を示すブロック図である。
【図９】本発明の一実施形態に係るデータ表示／センサ装置の２つの表示／光センサ部に、Ｗｅｂブラウザを表示した様子を示す模式図である。
【図１０】本発明の一実施形態に係るデータ表示／センサ装置において、図９に示す状態の後、省電力制御を行なっている様子を示した模式図である。
【図１１】本発明の一実施形態に係るデータ表示／センサ装置において、図１０に示す状態の後、バックライトへの電源供給をオフにした様子を示した模式図である。
【図１２】本発明の一実施形態に係るデータ表示／センサ装置において、図１１に示す状態の後、電源供給をオフにした様子を示した模式図である。
【図１３】本実施の形態に係るデータ表示／センサ装置において、省電力制御を行なう処理の流れの一例を示すフローチャートである。
【図１４】図１４は、本実施の形態に係るデータ表示／センサ装置において、省電力制御の具体的な処理の流れの一例を示すフローチャートである。
【図１５】本実施の形態に係るデータ表示／センサ装置において、バックライトの輝度レベルの制御を行なわない一例を示す模式図である。
【図１６】本実施の形態に係るデータ表示／センサ装置において、バックライトの輝度レベルの制御を行なわない他の一例を示す模式図である。
【図１７】本実施の形態に係るデータ表示／センサ装置において、バックライトの輝度レベルの制御を行なわない他の一例を示す模式図である。
【図１８】従来の表示装置において、ローバッテリーではないときの様子を示した模式図である。
【図１９】従来の表示装置において、ローバッテリー時の様子を示した模式図である。
【図２０】従来の表示装置において、バッテリーが完全に消耗したときの様子を示した模式図である。
【符号の説明】
【０２６８】
１１    データ表示制御部（画像表示制御手段）
１２    バッテリー残量検出部（バッテリー検出手段）
１３    省電力制御指示部（バックライト輝度制御手段）
１４    表示部使用状態判定部
２１    表示部使用状況記憶部
２２    省電力制御内容記憶部
１００    データ表示／センサ装置（表示装置）
３００    表示／光センサ部（表示部）
３００Ａ  第１表示／光センサ部（表示部）
３００Ｂ  第２表示／光センサ部（表示部）
３０１    センサ内蔵液晶パネル
３０７    バックライト
３０７Ａ  バックライト
３０７Ｂ  バックライト
７００    データ処理部
９１０    バッテリー
【図１】
2010092339.tif 000005
【図２】
2010092339.tif 000006
【図３】
2010092339.tif 000007
【図４】
2010092339.tif 000008
【図５】
2010092339.tif 000009
【図６】
2010092339.tif 000010
【図７】
2010092339.tif 000011
【図８】
2010092339.tif 000012
【図９】
2010092339.tif 000013
【図１０】
2010092339.tif 000014
【図１１】
2010092339.tif 000015
【図１２】
2010092339.tif 000016
【図１３】
2010092339.tif 000017
【図１４】
2010092339.tif 000018
【図１５】
2010092339.tif 000019
【図１６】
2010092339.tif 000020
【図１７】
2010092339.tif 000021
【図１８】
2010092339.tif 000022
【図１９】
2010092339.tif 000023
【図２０】
2010092339.tif 000024